(57)【特許請求の範囲】
【請求項１】
下面に吸込口を有する吸込具本体と、該吸込具本体内に形成される回転ブラシ収納室と、前記吸込口に臨ませた状態で回転ブラシ収納室に回転自在に収納され、外周に被掃除面に接触して被掃除面を掃除するブレードを配設した回転ブラシとを備え、前記吸込具本体に、前記回転ブラシのブレードに外気を衝突させて回転ブラシを回転させる案内口を左右方向に直線的に形成すると共に、前記回転ブラシのブレードを螺旋状に配設して案内口から吸い込まれる空気が回転ブラシの回転に伴ってブレードのいずれかの部分に衝突するように構成したことを特徴とする床用吸込具。
【請求項２】
下面に吸込口を有する吸込具本体と、該吸込具本体内に形成される回転ブラシ収納室と、前記吸込口に臨ませた状態で回転ブラシ収納室に回転自在に収納され、外周に被掃除面に接触して被掃除面を掃除するブレードを配設した回転ブラシとを備え、前記吸込具本体に、前記回転ブラシのブレードに外気を衝突させて回転ブラシを回転させる案内口を吸込口とは別に左右方向に直線的に形成すると共に、前記回転ブラシのブレードを螺旋状に配設して案内口から吸い込まれる空気が回転ブラシの回転に伴ってブレードのいずれかの部分に衝突するように構成したことを特徴とする床用吸込具。
【請求項３】
下面に吸込口を有する吸込具本体と、該吸込具本体内に形成される回転ブラシ収納室と、前記吸込口に臨ませた状態で回転ブラシ収納室に回転自在に収納され、外周にブレードを配設した回転ブラシとを備え、前記吸込具本体に、前記回転ブラシのブレードに外気を衝突させて回転ブラシを回転させる案内口を左右方向に直線的に形成すると共に、前記ブレードは、被掃除面に接触しない第１のブレードと、回転ブラシの回転方向に対して後方側に傾斜し回転に伴う遠心力により起立して被掃除面に接触する柔軟性を有する第２のブレードとから構成し、前記第１及び第２のブレードを螺旋状に配設して案内口から吸い込まれる空気が回転ブラシの回転に伴って前記第１及び第２のブレードのいずれかの部分に衝突するように構成したことを特徴とする床用吸込具。
【請求項４】
下面に吸込口を有する吸込具本体と、該吸込具本体内に形成される回転ブラシ収納室と、前記吸込口に臨ませた状態で回転ブラシ収納室に回転自在に収納され、外周に被掃除面に接触して被掃除面を掃除するブレードを配設した回転ブラシとを備え、前記吸込具本体に、前記回転ブラシのブレードに外気を衝突させて回転ブラシを回転させる案内口を左右方向に直線的に形成し、前記回転ブラシのブレードの一部を難通気性材料にて形成すると共に、前記回転ブラシのブレードを螺旋状に配設して案内口から吸い込まれる空気が回転ブラシの回転に伴ってブレードのいずれかの部分に衝突するように構成したことを特徴とする床用吸込具。
【発明の詳細な説明】
【０００１】
【発明の属する技術分野】
本発明は、電気掃除機に接続されて使用される床用吸込具の改良に関する。
【０００２】
【従来の技術】
従来、この種床用吸込具として、吸込具本体に回転ブラシを回転自在に枢支し、回転ブラシを電動機あるいはタービンによって回転駆動するものが知られていた。
【０００３】
回転ブラシを電動機により回転駆動するものにおいては、電動機の重量が重く、取扱性が悪いと共に、構造が複雑化して部品点数が増大し、組立作業性が悪いなどの欠点があった。
【０００４】
また、回転ブラシをタービンによって回転駆動するものにおいては、タービンは、吸込口から掃除機本体への吸込通路に形成されたタービン室内に配設され、塵埃と共に吸引された空気により回転する構成となっているため、長期使用によって、タービンに塵埃等が絡まり、タービンが良好に回転しなくなる問題があった。
【０００５】
そこで、上記欠点を解決するために、特開平9-28630号公報(A47L  9/04)等にて回転ブラシの両端にタービンを配設し、タービンに外部の清浄な空気を供給してタービンを回転させ、その空気を吸込口から吸気した空気と共に電気掃除機に吸引するものが提案された。
【０００６】
しかしながら、この構成においては、回転ブラシの両端にタービンを配設する必要があり、部品点数が増大すると共に、タービンを回転させるために多量の外気を吸引することで塵埃吸引特性が低下することがないよう、少ない外気によりタービンを回転させる必要があり、回転力が弱く、絨毯等の抵抗の大きい被掃除面を掃除する際に良好な回転力を得られない問題がある。また、タービン収納室の下面には吸込口を形成することができず、吸込具本体の横幅に対して吸込口が小さくなり、塵埃等の吸残しが生じる欠点があった。
【０００７】
【発明が解決しようとする課題】
本発明は、上記欠点に鑑みなされたもので、簡単な構成で効率よく回転ブラシを回転駆動し得る床用吸込具を提供することを課題とする。
【０００８】
【課題を解決するための手段】
本発明は、下面に吸込口を有する吸込具本体と、該吸込具本体内に形成される回転ブラシ収納室と、前記吸込口に臨ませた状態で回転ブラシ収納室に回転自在に収納され、外周に被掃除面に接触して被掃除面を掃除するブレードを配設した回転ブラシとを備え、前記吸込具本体に、前記回転ブラシのブレードに外気を衝突させて回転ブラシを回転させる案内口を左右方向に直線的に形成すると共に、前記回転ブラシのブレードを螺旋状に配設して案内口から吸い込まれる空気が回転ブラシの回転に伴ってブレードのいずれかの部分に衝突するように構成したことを特徴とする。
【０００９】
また、本発明は、下面に吸込口を有する吸込具本体と、該吸込具本体内に形成される回転ブラシ収納室と、前記吸込口に臨ませた状態で回転ブラシ収納室に回転自在に収納され、外周に被掃除面に接触して被掃除面を掃除するブレードを配設した回転ブラシとを備え、前記吸込具本体に、前記回転ブラシのブレードに外気を衝突させて回転ブラシを回転させる案内口を吸込口とは別に左右方向に直線的に形成すると共に、前記回転ブラシのブレードを螺旋状に配設して案内口から吸い込まれる空気が回転ブラシの回転に伴ってブレードのいずれかの部分に衝突するように構成したことを特徴とする。
【００１０】
さらに、本発明は、下面に吸込口を有する吸込具本体と、該吸込具本体内に形成される回転ブラシ収納室と、前記吸込口に臨ませた状態で回転ブラシ収納室に回転自在に収納され、外周にブレードを配設した回転ブラシとを備え、前記吸込具本体に、前記回転ブラシのブレードに外気を衝突させて回転ブラシを回転させる案内口を左右方向に直線的に形成すると共に、前記ブレードは、被掃除面に接触しない第１のブレードと、回転ブラシの回転方向に対して後方側に傾斜し回転に伴う遠心力により起立して被掃除面に接触する柔軟性を有する第２のブレードとから構成し、前記第１及び第２のブレードを螺旋状に配設して案内口から吸い込まれる空気が回転ブラシの回転に伴って前記第１及び第２のブレードのいずれかの部分に衝突するように構成したことを特徴とする。
【００１１】
また、本発明は、下面に吸込口を有する吸込具本体と、該吸込具本体内に形成される回転ブラシ収納室と、前記吸込口に臨ませた状態で回転ブラシ収納室に回転自在に収納され、外周に被掃除面に接触して被掃除面を掃除するブレードを配設した回転ブラシとを備え、前記吸込具本体に、前記回転ブラシのブレードに外気を衝突させて回転ブラシを回転させる案内口を左右方向に直線的に形成し、前記回転ブラシのブレードの一部を難通気性材料にて形成すると共に、前記回転ブラシのブレードを螺旋状に配設して案内口から吸い込まれる空気が回転ブラシの回転に伴ってブレードのいずれかの部分に衝突するように構成したことを特徴とする。
【００１２】
【発明の実施の形態】
本発明の第１の実施の形態を図１乃至図７に基づいて以下に詳述する。
【００１３】
１は吸込具本体で、上ケース２、下ケース３、前記上ケース２および下ケース３に係脱自在に係合する蓋体４、前記上下ケース２、３間に上下動自在に支持される回動管５、該回動管５に回動自在に支持される継手管６から構成されている。
【００１４】
７は前記吸込具本体１底面に形成される吸込口、８は前記吸込具本体１内に形成される回転ブラシ収納室である。
【００１５】
９は前記吸込具本体１両側に形成される軸支部で、後述する車輪27を回動自在に支持している。10は前記吸込具本体１の上下ケース２、３から垂下形成された区画リブで、前記軸支部10と回転ブラシ収納室８とを区画し、軸支部10を介して回転ブラシ収納室８に外気が吸引されるのを防止している。
【００１６】
11は前記吸込口７に臨ませた状態で回転ブラシ収納室８内に回転自在に収納される回転ブラシで、該回転ブラシ11は、芯体12と、該芯体12に形成された螺旋状の溝13に基部14を挿入して装着される一対のブラシ体15と、前記芯体12の螺旋状の溝13に基部18を挿入して装着される一対のブレード16とから構成されている。
【００１７】
前記ブレード16は、難通気性の布状体17と、該布状体17の端部にモールドされた合成樹脂にて構成される基部18と、前記布状体17の端部に縫いつけられた刷毛状体19とから構成されており、前記布状体17に基部18を構成することにより布状体17の端部が波打つように変形し、さらに布状体17の端部に刷毛状体19を縫いつけることにより布状体17が引きつったようになって湾曲する。このブレード16を、回転ブラシ11の回転方向に対して後方側に湾曲するように芯体12に装着している。
【００１８】
前記ブレード16は、回転ブラシ11の回転停止状態および低速回転状態においては、図６に示すごとく、回転ブラシ11の回転方向に対して後方側に湾曲しているが、回転ブラシ11が高速回転状態となると、回転に伴う遠心力によって図７に示すごとく、起立状態となるようになっており、起立状態における回転軌跡の径を、ブラシ体15の回転軌跡の径より径大に形成している。また、回転ブラシ11の停止状態においては、吸込具本体１を床面に載置しても、ブラシ体15およびブレード16は床面に接触しないように形成している。
【００１９】
20は前記蓋体４上面に、吸込具本体の左右方向に直線的に形成された案内口で、前記回転ブラシ11のブラシ体15およびブレード16のほぼ全幅にわたって形成されている。21は前記案内口20の前方側に形成された第１リブで、案内口20から吸引される外気を回転ブラシ11のブラシ体15およびブレード16に導くガイドを構成している。前記第１リブ21は蓋体４裏面から、ブレード16の回転軌跡の最前方位置より回転ブラシ11の回転中心側位置に垂下形成された回転軌跡の投影範囲内に位置しており、ブラシ体15の回転軌跡の最高位置より下方まで延設されている。
【００２０】
22は前記案内口20の後方側に形成された第２リブで、案内口20から吸引される外気を回転ブラシ11のブラシ体15およびブレード16に導くガイドを構成している。前記第２リブ22は、回転ブラシ11の回転中心より前方側に延設されており、第１リブ21と第２リブ22の先端間に吐出口23が形成されている。前記吐出口23は、吸込具本体の左右方向に直線的に形成されている。
【００２１】
24は前記蓋体４に複数の係止爪25により装着されるカバー体で、前記吐出口23上方を覆い、吐出口23が直接外部から見えないようにしている。前記第１リブ21、第２リブ22およびカバー体24間に吸気路26を構成し、該吸気路26は案内口20から吐出口23に向かって漸次幅狭になるように構成されている。
【００２２】
27は前記軸支部９に装着される前車輪で、前記吸込具本体１外径と略同径に形成されている。28は前記吸込具本体１後部に軸支された後車輪、29は前記吸込口７の前後に配設されるサクションキーパーで、軟質ゴム等の可撓性を有する材料にて形成されており、サクションキーパー29によって深部吸込力を向上させている。
【００２３】
而して、掃除機本体に可撓性ホースおよび延長管を介して継手管６を接続し、掃除機本体の電動送風機を駆動すると、吸込口７から空気が吸引される。吸込具本体１を被掃除面から持ち上げた状態では、吸込口７からの吸込抵抗が小さいため、吸込口７からほとんどの空気が吸い込まれる。この状態では、吸込口７が大きく開口しているため、吸込口７から吸引される空気の流速は比較的遅く、従って、回転ブラシ11はほとんど回転することはない。
【００２４】
フローリングなどの床面や畳等を掃除する際には、被掃除面と吸込口７との間が比較的広いため、吸込口７からの吸込抵抗が小さく、吸込口７からほとんどの空気が吸い込まれ、案内口20からはほとんど吸い込まれることはない。この状態では、吸込口７と被掃除面との間から吸引される空気は流速が速いため、吸込口７から吸引された空気が回転ブラシ11のブラシ体15およびブレード16に衝突し、回転ブラシ11を図１中反時計方向に回転させる。
【００２５】
ブレード16は、回転ブラシ11の回転停止状態や、低速回転状態において、図６に示すごとく、回転ブラシ11の回転方向に対して後方側に湾曲しているので、吸込口７から吸引される空気を受けやすく、回転ブラシ11は効率よく回転する。
【００２６】
回転ブラシが高速回転すると、ブレード16が遠心力によって、図７に示すごとく起立する。このブレード16は撓みやすい布状体17を用いているので、床面や畳に接触しても床面や畳を傷つけることはない。
【００２７】
絨毯等の被掃除面を掃除する際には、吸込口７が被掃除面により覆われ、吸込口７からの吸気抵抗が増大し、案内口20から吸引される外気量が増大する。吐出口23は吸込口７に比較し開口面積がきわめて小さく形成されているため、吐出口23から吸引される空気は、速い流速で回転ブラシ11のブラシ体15およびブレード16に衝突し、回転ブラシ11を図１中反時計方向に回転させる。
【００２８】
第１リブ21は、ブレード16の回転軌跡の最前方位置より回転ブラシ11の回転中心側に垂下形成され、ブラシ体15の回転軌跡の最高位置より下方に延設されているので、吐出口23から吸引された外気がブラシ体15やブレード16に衝突することなく回転ブラシ11の前方に回り込むのを防止して確実にブラシ体15およびブレード16に案内する事ができ、回転ブラシ11を効率よく回転駆動する事ができる。
【００２９】
また、前記第２リブ22は、ブラシ体15およびブレード16に向かって回転ブラシ11の回転中心より前方側に延設されているので、吐出口23から吸引された外気がブラシ体15およびブレード16に接触することなく回転ブラシ11の上方を通過して直接回動管５に吸引されるのを防止して確実にブラシ体15およびブレード16に案内することができ、回転ブラシ11を効率よく回転駆動することができる。
【００３０】
案内口20は吸込具本体の左右方向に直線的に形成されると共に、ブラシ体15およびブレード16は回転ブラシ８の芯体12に螺旋状に配設されているため、案内口20に対してブラシ体15およびブレード16が交差し、案内口20から吸い込まれる空気が、回転ブラシ８の回転に伴ってブラシ体15およびブレード16のいずれかの部分に吹き付けるため、回転ブラシ８が常に回転力を得ることができる。
【００３１】
ブレード16は、芯体12に対して螺旋状に配設されているため、回転ブラシ８の回転時に、ブレード16が順次床面に当接するため、ブレード16の先端が全幅にわたって同時に床面に当接する事がなく騒音を抑えることができると共に、ブレード16の床面への当接による抵抗を抑えることができ、回転ブラシ８の回転力を低下させることがない。
【００３２】
また、ブレード16は回転ブラシ８の回転方向後方側に傾斜しているため、案内口20からの外気を効率よく受け、充分な回転力を得ることができる。
【００３３】
さらに、ブレード16は難通気性の布状体17に刷毛状体19を縫いつけて構成されているため、案内口20からの外気をより効率よく受けることができ、より充分な回転力を得ることができる。
【００３４】
案内口20からの外気を吐出口23に導く吸気路26は、吐出口23に向かって漸次幅狭になるように構成されているので、通気路面積の変化による騒音の発生を低減すると共に、吐出口23からブラシ体15およびブレード16に衝突する外気の流速を増大させて回転ブラシ11の回転効率を向上することができる。
【００３５】
案内口20からの外気は、回動管５に近い中央部においてもっとも流速が速く、特に案内口20中央部分からの外気によって回転ブラシ11を効率よく回転駆動することができる。
【００３６】
案内口20からの外気は、被掃除面に衝突することにより被掃除面の塵埃等を浮き上がらせ、電気掃除機の吸引力および回転ブラシ11の掻き上げと相俟って塵埃等を効率よく除去することができ、案内口20を回転ブラシ11の略全幅にわたって形成しているので、広範囲にわたって効率よく塵埃等を除去することができる。
【００３７】
また、案内口20から空気を吸引することにより吸込具本体１が被掃除面に吸い付くのを抑制し、吸込具本体１の移動性を向上することができる。
【００３８】
絨毯等の掃除時においては、被掃除面が抵抗となって回転ブラシ11の回転数が低下するが、回転ブラシ11の回転数が低下してくるとブレード16は遠心力の低下に伴って次第に停止時の形状に復元するように回転方向に対して後方側に湾曲し、被掃除面との接触抵抗が低下して回転数が上昇する。この動作を繰り返すことにより回転ブラシ11の回転数がほぼ一定に維持される。
【００３９】
ブレード16は、布状体17に刷毛状体19を縫いつけて構成されているため、ブレード16を撓みやすく構成することができると共に、刷毛状体19をおもりとして遠心力によりブレード16を起立しやすくすることができ、回転ブラシ11のわずかな回転数変動によってもブレード16を起立、湾曲させることができ、回転ブラシ11の回転数をほぼ一定に維持することができる。
【００４０】
上記実施の形態においては、ブレード16を、布状体17、基部18および刷毛状体19から構成したが、軟質ゴム等の柔軟性を有する材料にて一体に形成してもよい。
【００４１】
また、上記実施の形態においては、案内口20を吸込具本体１の左右方向に直線的に形成すると共に、回転ブラシ11のブレード16およびブラシ体15を芯体12に螺旋状に配設したが、案内口を吸込具本体の左右方向に傾斜して形成し、ブレードおよびブラシ体を回転ブラシの軸線方向と平行に配設してもよい。
【００４２】
【発明の効果】
以上の如く、本発明の請求項１の構成によれば、回転ブラシを駆動するためのタービンを設けることなく、回転ブラシのブレードに案内口から外気を導くことにより、絨毯等の掃除時においても効率よく回転ブラシを回転駆動することができると共に、螺旋状に配設したブレードに外気を衝突させて回転ブラシを回転させる案内口を、左右方向に直線的に形成し、案内口から吸い込まれる空気が回転ブラシの回転に伴ってブレードのいずれかの部分に衝突するように構成したので、回転ブラシが常に回転力を得ることができる等の効果を奏する。
【００４３】
本発明の請求項２の構成によれば、回転ブラシを駆動するためのタービンを設けることなく、回転ブラシのブレードに案内口から外気を導くことにより、絨毯等の掃除時においても効率よく回転ブラシを回転駆動することができると共に、螺旋状に配設したブレードに外気を衝突させて回転ブラシを回転させる案内口を、左右方向に直線的に形成し、案内口から吸い込まれる空気が回転ブラシの回転に伴ってブレードのいずれかの部分に衝突するように構成したので、回転ブラシが常に回転力を得ることができる等の効果を奏する。
【００４４】
本発明の請求項３の構成によれば、回転ブラシを駆動するためのタービンを設けることなく、回転ブラシのブレードに案内口から外気を導くことにより、絨毯等の掃除時においても効率よく回転ブラシを回転駆動することができると共に、螺旋状に配設したブレードに外気を衝突させて回転ブラシを回転させる案内口を、左右方向に直線的に形成し、案内口から吸い込まれる空気が回転ブラシの回転に伴ってブレードのいずれかの部分に衝突するように構成したので、回転ブラシが常に回転力を得ることができる等の効果を奏する。
【００４６】
本発明の請求項４の構成によれば、回転ブラシを駆動するためのタービンを設けることなく、回転ブラシのブレードに案内口から外気を導くことにより、絨毯等の掃除時においても効率よく回転ブラシを回転駆動することができると共に、螺旋状に配設したブレードに外気を衝突させて回転ブラシを回転させる案内口を、左右方向に直線的に形成し、案内口から吸い込まれる空気が回転ブラシの回転に伴ってブレードのいずれかの部分に衝突するように構成したので、回転ブラシが常に回転力を得ることができる等の効果を奏する。
【図面の簡単な説明】
【図１】本発明のの回転ブラシの回転時を示す床用吸込具の断面図である。
【図２】同他の位置における床用吸込具の断面図である。
【図３】同床用吸込具の上面図である。
【図４】同カバー部材を外した状態の床用吸込具の上面図である。
【図５】同上ケースを取り外した状態の上面図である。
【図６】同停止状態の回転ブラシの断面図である。
【図７】同回転状態の回転ブラシの断面図である。
【符号の説明】
１          吸込具本体
７          吸込口
８          回転ブラシ収納室
11          回転ブラシ
15          ブラシ体（第１のブレード）
16          ブレード（第２のブレード）
20          案内口
【図１】
0003819565.tif 000002
【図２】
0003819565.tif 000003
【図３】
0003819565.tif 000004
【図４】
0003819565.tif 000005
【図５】
0003819565.tif 000006
【図６】
0003819565.tif 000007
【図７】
0003819565.tif 000008